(57)【特許請求の範囲】
【請求項１】
弾性変形して縮小することによりパネル（１７）の取付孔（１７ａ）に挿通した後弾性復元して拡大することにより前記取付孔（１７）の孔縁に係止する一対の弾性翼（１６，１６）を有する係止脚（１５）がベース板（１４）の片面に立設された留め具において、
折り返すと前記一対の弾性翼（１６，１６）に嵌通可能な孔（１８ａ）が形成されたリリース片（１８）が前記係止脚（１５）の近傍のベース板（１４）に連結部（１９）を介して設けられ、
前記孔（１８ａ）は前記一対の弾性翼（１６，１６）に嵌通可能な大きさを有する翼はめ込み部（１８ｂ）と前記翼はめ込み部（１８ｂ）に続いて前記翼はめ込み部（１８ｂ）にはめ込まれた拡大状態の一対の弾性翼（１６，１６）を縮小して前記取付孔（１７ａ）より通り抜け可能にする翼縮小部（１８ｃ）とを有する
ことを特徴とする留め具。
【発明の詳細な説明】
【０００１】
【発明の属する技術分野】
本発明は管、ワイヤハーネス、ケーブル等をパネルに配索する留め具に関するものである。
【０００２】
【従来の技術】
従来、パネルに沿ってこの種のワイヤハーネス等を配索するときには、留め具のベースにワイヤハーネス等を固着し、このベース板に立設された係止脚をパネルの取付孔に挿通し、係止脚に設けられた一対の弾性翼を弾性復元して拡大させ、取付孔の孔縁にこの弾性翼を係止させることにより、パネルの所定の位置に留め具を固定している。このようにワイヤハーネス等を固着した留め具をパネルの取付孔に固定することにより所望の位置のパネルにワイヤハーネス等を固着することができるようになっている。
しかし上述した従来の留め具は、配索時における所望の位置のパネルにワイヤハーネス等を容易に固着することができるけれども、この留め具をパネルの取付孔から取外すことが困難である不具合がある。即ち、配索ミスにおける再作業時における留め具の取外しや、廃車された車両からの留め具を再利用する際の取外し時における取外し作業が困難で、力ずくで取外すと係止脚に設けられた一対の弾性翼が壊れ、留め具が再利用できない問題があった。
【０００３】
この点を解決するために、パネルの裏面からペンチ等の工具により留め具の一対の弾性翼を容易に縮小させるためにベースにクリップ外し操作孔を設けた「取外し可能なクリップ」等が提案されている（実開平３−１０４５１４）。このクリップの構造では、パネルの裏面からベースの操作孔を介してペンチ等の工具により一対の弾性翼を縮小させ、弾性翼を縮小させた状態でパネルの取付孔からクリップを抜き取ることにより弾性翼を壊すことなく容易にパネルから取外すことができるようになっている。
【０００４】
【発明が解決しようとする課題】
しかし、このクリップの構造では、パネルの裏面から操作孔を介して弾性翼を縮小させる必要があることから、パネルの裏面に工具を進入させることができない場合、即ち、パネルの裏面近傍に他のパネル等が介在するために工具を進入させることができない場合には、パネルの取付孔からクリップを抜き取ることができない未だ解決すべき問題点が残存していた。
本発明の目的は、パネルに取付けた状態から容易に取外すことができる留め具を提供することにある。
【０００５】
【課題を解決するための手段】
請求項１に係る発明は、図１及び図２に示すように、弾性変形して縮小することによりパネル１７の取付孔１７ａに挿通した後弾性復元して拡大することにより取付孔１７ａの孔縁に係止する一対の弾性翼１６，１６を有する係止脚１５がベース板１４の片面に立設された留め具の改良である。
その特徴ある構成は、折り返すと一対の弾性翼１６，１６に嵌通可能な孔１８ａが形成されたリリース片１８が係止脚１５の近傍のベース板１４に連結部１９を介して設けられ、孔１８ａは一対の弾性翼１６，１６に嵌通可能な大きさを有する翼はめ込み部１８ｂと翼はめ込み部１８ｂに続いて翼はめ込み部１８ｂにはめ込まれた拡大状態の一対の弾性翼１６，１６を縮小して取付孔１７ａより通り抜け可能にする翼縮小部１８ｃとを有するところにある。
【０００６】
リリース片１８は連結部１９を湾曲して折り返すことにより、孔１８ａを一対の弾性翼１６，１６に嵌通させ、孔１８ａを一対の弾性翼１６，１６に嵌通した状態で移動することによりリリース片１８は、一対の弾性翼１６，１６を拡大状態から、縮小状態に変形させる。リリース片１８の移動により取付孔より通り抜け可能に変形した弾性翼１６，１６とともに係止脚１５を取付孔１７ａから抜き出す。係止脚１５を取付孔１７ａから抜き出すことにより留め具１０をパネル１７の取付孔１７ａから容易に取外す。
【０００７】
【発明の実施の形態】
次に本発明の実施の形態を図面に基づいて詳しく説明する。
図１に示すように、留め具１０はベース板１４と係止脚１５と一対の弾性翼１６，１６を備える。これらはプラスチック成形により一体的に作られる。図２に示すように、この形態における留め具１０は車両内部にワイヤハーネス１１を配索するために使用される。ワイヤハーネス１１は複数本のケーブル１１ａを束ねて形成され、この束ねられたケーブル１１ａを配索経路近傍のパネル１７に固着することにより配索される。ワイヤハーネス１１の配索は留め具１０を使用してパネルに固着することにより行われ、ワイヤハーネス１１は留め具１０のベース板１４に粘着テープ１２を卷回することにより固定される。ワイヤハーネス１１が固定されたベース１４板は、このベース板１４に立設された係止脚１５をパネル１７の取付孔１７ａに挿通し、係止脚１５に設けられた一対の弾性翼１６，１６を弾性復元して拡大させ、取付孔１７ａの孔縁に係止させることによりパネル１７の所定の位置に固着するようになっている。
【０００８】
図１〜図３に示すように、係止脚１５はベース板１４の片面に立設され、パネル１７の取付孔１７ａより小さな径を有する。係止脚１５の先端には、この係止脚が取付孔１７ａに容易に挿通させるための案内する円錐台形状のガイド部材１５ａが形成される。係止脚１５の先端両側には係止脚１５と間隔を有しその間隔分縮めるとパネル１７に設けられた取付孔１７ａを挿通することができる一対の弾性翼１６，１６の一端１６ａ，１６ａが接続される。この弾性翼１６，１６の他端にはそれぞれ取付孔１７ａの孔縁に係止する切欠部１６ｂ，１６ｂが形成され、弾性翼１６，１６は取付状態でその弾性力により広がると取付孔１７ａの孔縁に切欠部１６ｂ，１６ｂが係止可能に成形される。
【０００９】
図１に示すように、係止脚１５の近傍のベース板１４には、一対の弾性翼１６，１６に嵌通可能な孔１８ａが形成されたリリース片１８が連結部１９を介して設けられる。これらの連結部１９及びリリース片１８はプラスチック成形によりベース板１４等と一体的に作られる。連結部１９はリリース片１８とベース板１４をつなぐ比較的細く形成された板状の部材であり、弾性により湾曲可能に形成される。リリース片１８は連結部１９に続いて形成された四角板材であって、その中央には一対の弾性翼に嵌通可能な孔１８ａが一体的に形成される。即ち、リリース片１８を図１の実線で示すように移動することにより連結部１９を湾曲させて、図２に示すようにリリース片１８を折り返すことにより、この孔１８ａを一対の弾性翼１６，１６に嵌通可能に構成される。
【００１０】
図３及び図４に示すように、孔１８ａは、一対の弾性翼１６，１６に嵌通された状態で孔縁が弾性翼の切欠き部１６ｂ，１６ｂに係合し、一対の弾性翼１６，１６が孔１８ａの幅寸法以上に拡大することを防止するように形成される。図１に戻って、孔１８ａは幅寸法が比較的広い、一対の弾性翼１６，１６に嵌通可能な大きさを有する翼はめ込み部１８ｂと、比較的狭い翼縮小部１８ｃとを有し、翼縮小部１８ｃは翼はめ込み部１８ｂに滑らかに連続して形成される。図４に示すように、翼縮小部１８ｃは翼はめ込み部１８ｂにはめ込まれた拡大状態の一対の弾性翼１６，１６を縮小して取付孔１７ａより通り抜け可能な寸法に形成される。従って、孔１８ａを一対の弾性翼１６，１６に嵌通した状態で移動することによりリリース片１８は、一対の弾性翼１６，１６を拡大状態から、図４に示す縮小状態に変形させることが可能に形成される。
【００１１】
このように構成された留め具の動作を説明する。
図２に示すように、パネル１７に配索されるワイヤハーネス１１は粘着テープ１２により卷回されることによりベース板１４に固定される。リリース片１８は連結部１９を湾曲させて折り返すことにより孔１８ａを一対の弾性翼１６，１６に嵌通させる。孔１８ａが弾性翼１６，１６に嵌通する際に、弾性翼１６，１６は縮小変形し、孔１８ａが貫通した後一対の弾性翼１６，１６は弾性復元して拡大する。この状態で留め具１０をワイヤハーネス１１の配索経路途中のパネル１７に設けられた留め具用の取付孔１７ａに、図２の矢印Ａに示すように、ガイド部材１５ａ側から係止脚１５を挿入する。係止脚１５の挿入は、ベース板１４がリリース片１８を介して取付孔１７ａの孔縁に当接するまで行われ、係止脚１５と間隔を有する一対の弾性翼１６，１６が係止脚１５との間隔分縮めることによりパネル１７の取付孔１７ａを挿通する。係止脚１５が挿通した後は、弾性翼１６，１６が弾性復元して拡大し、完全に挿入が完了すると、図３に示すように、弾性翼１６の切欠き部１６ｂ，１６ｂが取付孔１７ａの孔縁に係止する。これによりワイヤハーネス１１が配索される。
【００１２】
この留め具をパネル１７の取付孔１７ａから取外すには、リリース片１８を翼はめ込み部１８ｂから翼縮小部１８ｃまで移動させて弾性翼１６，１６を縮小状態にする。このリリース片１８の移動は、例えば図２に示すように、パネル１７の表面に位置する湾曲した連結部１９の湾曲部分にドライバの先端等の棒状体２１を図２の矢印Ｂに示すように、挿入し、この棒状体２１を係止脚１５から遠ざけるように移動させることにより行われる。このリリース片１８の移動により一対の弾性翼１６，１６は、図４に示すように狭められ、弾性翼１６，１６が取付孔１７ａより通り抜け可能に変形する。この状態で、取付孔１７ａより係止脚１５を弾性翼１６，１６とともに抜き出すことにより留め具１０を取付孔１７ａから容易に取外す。
【００１３】
【発明の効果】
以上述べたように、本発明によれば、折り返すと一対の弾性翼に嵌通可能な孔が形成されたリリース片を係止脚の近傍のベース板に連結部を介して設け、孔に一対の弾性翼に嵌通可能な大きさを有する翼はめ込み部と翼縮小部とを形成し、翼縮小部が拡大状態の一対の弾性翼を縮小して取付孔より通り抜け可能に構成したので、孔が一対の弾性翼に嵌通した状態でリリース片を移動することにより弾性翼を拡大状態から縮小状態に変形させることができる。この結果、パネルに取付けた状態から留め具を容易に取外すことができる。
【図面の簡単な説明】
【図１】本発明の留め具の斜視図。
【図２】ワイヤハーネスが固着されたその留め具をパネルに取付ける状態を示す斜視図。
【図３】その留め具がパネルに装着された状態を示す断面図。
【図４】リリース片の孔が弾性翼を縮小させた状態を示す図３に対応する図。
【符号の説明】
１４  ベース板
１５  係止脚
１６  弾性翼
１７  パネル
１７ａ  取付孔
１８  リリース片
１８ａ  孔
１８ｂ  翼はめ込み部
１８ｃ  翼縮小部
１９  連結部
【図１】
0003541911.tif 000002
【図２】
0003541911.tif 000003
【図３】
0003541911.tif 000004
【図４】
0003541911.tif 000005